(57)【要約】【課題】戸板の移動や折り畳みを長期間の使用に渡ってスムーズにすると共に、故障や劣化が少なく、折れ戸部分に対応する窓枠や壁面を完全に開放できる折れ戸、折れ戸つき窓を提供する。【解決手段】本発明の折れ戸は、所定の軸支位置において支持部材に一端が軸支される吊り戸板と、軸支位置と逆側の一端における接続位置で吊り戸板と折り曲げ可能に接続される移動戸板と、移動戸板の移動を案内する案内溝を有する横枠と、吊り戸板と移動戸板とは回動可能であって、回動されて折畳まれた吊り戸板と移動戸板とを収納する収納領域と、を備え、移動戸板は、案内溝と摺動可能に嵌合する案内子を有し、案内子が案内溝を移動することにより、移動戸板は移動可能であり、案内溝は、所定の始点と所定の終点を有すると共に、始点から終点にかけて斜めかつ屈折せずに形成される。【選択図】図１
2010126989.tif 000002
【特許請求の範囲】
【請求項１】
所定の軸支位置において支持部材に一端が軸支される吊り戸板と、
前記軸支位置と逆側の一端における接続位置で前記吊り戸板と折り曲げ可能に接続される移動戸板と、
前記移動戸板の移動を案内する案内溝を有する横枠と、
前記吊り戸板と前記移動戸板とは回動可能であって、回動されて折畳まれた前記吊り戸板と前記移動戸板とを収納する収納領域と、を備え、
前記移動戸板は、前記案内溝と摺動可能に嵌合する案内子を有し、前記案内子が前記案内溝を移動することにより、前記移動戸板は移動可能であり、
前記案内溝は、所定の始点と所定の終点を有すると共に、前記始点から前記終点にかけて斜めかつ屈折せずに形成される折れ戸。
【請求項２】
前記案内溝は、所定の始点と終点を有し、前記吊り戸板および前記移動戸板の伸長時における前記案内子の位置を前記始点とし、前記軸支位置側を前記終点とし、
前記始点は、前記軸支位置が前記横枠と略平行に形成する仮想直線に対して、前記移動戸板の前面から前記案内子までの厚み分、第1方向側に位置し、
前記終点は、前記仮想直線に対して、前記吊り戸板の厚みに前記移動戸板の背面から前記案内子までの厚みを加えた厚み分、前記第1方向側と逆の第２方向側に位置する請求項１記載の折れ戸。
【請求項３】
前記案内子が前記終点付近まで摺動した場合には、前記吊り戸板と前記移動戸板とは、前記軸支位置を基点に回動可能であり、
前記吊り戸板と前記移動戸板とが、前記横枠に対して略平行となって前記収納領域に収納される位置まで、前記案内子は前記案内溝を摺動可能である請求項１から２のいずれか記載の折れ戸。
【請求項４】
前記吊り戸板および前記移動戸板それぞれの、前記横枠に対応する横幅は、略同一である請求項１から３のいずれか記載の折れ戸。
【請求項５】
前記収納領域の前記横枠に対応する横幅は、前記吊り戸板および前記移動戸板のそれぞれの横幅よりも大きく、好ましくは略同一である請求項１から４のいずれか記載の折れ戸。
【請求項６】
前記収納領域は、前記支持部材の表面もしくは裏面に形成される請求項１から５のいずれか記載の折れ戸。
【請求項７】
前記横枠および前記支持部材の少なくとも一部は、前記折れ戸が設置される壁材の一部である請求項１から６のいずれか記載の折れ戸。
【請求項８】
前記接続位置において、前記吊り戸板と前記移動戸板との間に中間戸板が接続可能である請求項１から７のいずれか記載の折れ戸。
【請求項９】
前記横枠および前記支持部材に囲まれて開口部が形成され、前記吊り戸板および前記移動戸板が伸長する場合には、前記開口部が閉鎖され、前記吊り戸板および前記移動戸板が前記収納領域に収納される場合には、前記開口部が略完全に開放される請求項１から８のいずれか記載の折れ戸。
【請求項１０】
前記支持部材が、一対であって、前記一対の支持部材のそれぞれにおいて、一対の吊り戸板の一つが軸支され、前記一対の吊り戸板のそれぞれには、前記移動戸板が接続される請求項１から９のいずれか記載の折れ戸。
【請求項１１】
前記支持部材が、前記軸支位置を基点に回動可能である請求項１から１０のいずれか記載の折れ戸。
【請求項１２】
請求項１から１１のいずれか記載の折れ戸と、
前記折れ戸の背面に設けられた窓を備える、折れ戸つき窓。
【発明の詳細な説明】
【技術分野】
【０００１】
本発明は、住宅やビルなどの窓枠や雨戸などに取り付けられたり、扉を有する家具の扉として取り付けられたり、室内空間の隅部を覆って隠したりする、折れ戸、折れ戸つき窓に関するものである。
【背景技術】
【０００２】
住宅やビルの窓や雨戸には、カーテンやブラインド以外に、スライド式に開閉できる障子が取り付けられていることが多い。特に、窓や雨戸のある部屋が和風の部屋であったり、重厚感や高級感のある部屋であったりする場合には、障子（紙の障子や木材の障子などがありうる）が取り付けられることがある。加えて、窓枠だけでなく、室内のある一面の壁面全体を覆うスライドドアや開き戸などが設置されることもある。壁面全体を覆うスライドドアや開き戸などが設けられることで、窓のある壁面全体の閉鎖と開放が行われて、室内全体の美観が向上すると共に、開放感とプライバシー保持とが両立できるからである。あるいは窓のない壁面全体の閉鎖と開放が行われることで、室内の一部に容易に収納空間を形成できるからである。
【０００３】
ところで、このような障子や開き戸は、スライド式で開閉されるので、窓や室内の一部を完全に開放できない問題がある。完全に開放できないと、部屋の採光が弱まるだけでなく、部屋の開放感が弱まる問題もある。このため、窓枠や壁面を覆う折れ戸が採用されることがある。
【０００４】
しかし、折れ戸は吊手側の端部に、戸板を寄せることができるが、そのままでは折れ曲がった戸板が部屋に向かって突出してしまう。このため、吊手側に折り曲げた戸板を、更に折畳む技術が提案されている（例えば、特許文献１、特許文献２参照）。これらの技術は、折り曲げた戸板を折畳むために、戸板を移動するのに必要となる第１案内溝と、この案内溝と屈折してつながって、移動した戸板が折畳まれるのに使用される第２案内溝を利用している。
【０００５】
特許文献１は、吊手側の折戸障子と折戸障子に接続された開き端の折戸障子を備えており、開き端の折戸障子の上下端に案内部材を設け、上枠とした枠に設けられた案内溝に対する案内部材の移動により折戸障子が折畳まれる折戸を開示している。ここで、案内溝は、特許文献１の図８ｂに記載されているように、直線状の案内溝に続いて屈折部から折れ曲がった曲線状の案内溝を有している。折戸障子に設けられている案内部材が直線状の案内溝と曲線状の案内溝の境界である屈折部に到達すると、この案内部材が曲線状の案内溝に入り込む。案内部材が曲線状の案内溝に入り込むと、折戸障子が下枠よりも前に出つつ、折戸障子が下枠と略平行になるまで折畳まれる。
【０００６】
一方、特許文献２は、特許文献１で用いられている曲線状の案内溝が室内に大きく突出して見栄えを悪くするのを防止する目的を有している。
【０００７】
特許文献２は、移動する折戸にアームを取り付けて、取り付けられたアームには、２つの案内部材が設けられて、２つの案内部材がそれぞれ異なる案内溝に沿って移動する折れ戸を開示する。２つの案内溝は、室内側と窓側のそれぞれの溝を有しており、窓側の溝は、吊手側で屈折部を有しており、屈折した後の溝は、案内部材を窓側に逃がす。この結果、折戸が折れ曲がるとアームが枠に対して垂直となって、折戸が枠に対して略平行に折畳まれる。
【０００８】
このように、従来の技術における折れ戸は、いずれも直線状の案内溝に屈折部を介してつながる溝を有することで、戸板を折り曲げると共に折畳んでいる。
【特許文献１】実公平２−８０７０号公報
【特許文献２】特許２５７５３２８号公報
【発明の開示】
【発明が解決しようとする課題】
【０００９】
しかしながら、折れ戸が完全に折畳まれない場合には、折れ戸が窓枠および壁面のいずれに設置される場合であっても、戸板が前方に残ると、室内への圧迫感が生じる問題がある。一方で、折れ戸を折畳める従来技術でも、次のような問題があった。
【００１０】
特許文献１が開示する折戸および特許文献２が開示する折れ戸では、いずれも移動する戸板を移動させる案内溝が、途中に屈折部を有している。屈折部までの案内溝は移動する戸板が開放されるのに用いられ、屈折部からの案内溝は移動する戸板と吊り手側の戸板を折畳むのに用いられる。
【００１１】
このように案内溝が屈折部を有していると、案内部材の移動がスムーズでなくなることが多くなる問題がある。戸板を移動させる案内部材が、屈折部に引っかかったりするからである。特に、戸板が設置されてから時間が経つと、案内溝と案内部材のすべりが悪くなるので、屈折部における案内部材の移動はますます悪くなりやすい。このように案内溝における案内部材の動きがスムーズでないために、使用者は戸板を強い力で移動させる必要があって負担が大きい問題もある。案内部材の動きが悪くなったために、使用者が強い力で戸板を移動させると折れ戸を破損させたりするきっかけとなる問題もある。
【００１２】
また、特許文献１、２に開示されている図面から明らかな通り、溝の屈折部を活用して戸板を折り畳む構造の場合には、吊手側の戸板と移動側の戸板の幅を異ならせる必要がある。このため見た目が悪くなる問題もあるし、製造工程でのコストが高くなる問題もある。これは、途中まで直線状の案内溝を移動した後に、屈折部から折れ曲がった案内溝を戸板が移動することで折畳まれる構造であるが故に、吊手側と移動側の戸板の幅を異ならせる必要があるからである。
【００１３】
加えて、戸板を折畳んだとしても、戸板の幅が異なるために、窓に戸板の根元が残ってしまい、窓を完全に開放できない問題がある。特許文献１では、屈折部の後の曲線状溝を移動するために、移動側の戸板が窓枠の中に残る。特許文献２では、横枠の内側に溝を形成し、アームを使って移動側の戸板を移動させるために、移動側の戸板が横枠の内側である窓枠の中に残る。特許文献１、２のいずれにおいても、戸板を折畳んだ状態にあっても、戸板の一部が窓枠内部に残って、窓枠のすべてを開放できない問題がある。
【００１４】
また、特許文献２の折れ戸は、アームを必要とするので、時間が経つにつれて移動が悪くなりやすい問題も有している。アームと案内部材との関節部分、アームと戸板との関節部分と、戸板から案内溝までには２つの関節部分を有することになるので、それだけ動作しにくくなったり故障したりする原因が多い。また、アームの劣化によって戸板の移動が困難になる問題も生じる。特に、アームを利用した折れ戸が様々に提案されているが、折れ戸の開閉において戸板とアームの接続部分、アームと枠との接続部分の２箇所が、動作の機構部分となるので、それだけ操作性が悪くなりやすい。もちろん、機構部分が増えることで、故障や劣化も生じやすい。また、戸板が移動して折畳まれても、アーム部分が、開放された開口部に残るので、視覚性や景観も悪く、開放感に欠ける問題もある。
【００１５】
また、壁面に特許文献１や２の折れ戸が設置される場合には、やはり開口部が完全に開放されずに、開放感が悪いだけでなく、折れ戸内部の収納空間への荷物の出し入れに支障が出る問題もある。
【００１６】
本発明は、上記課題に鑑み、戸板の移動や折り畳みを長期間の使用に渡ってスムーズにすると共に、故障や劣化が少なく、折れ戸部分に対応する窓枠や壁面を完全に開放できる折れ戸、折れ戸つき窓を提供することを目的とする。
【課題を解決するための手段】
【００１７】
上記課題を解決するために、本発明の折れ戸は、所定の軸支位置において支持部材に一端が軸支される吊り戸板と、軸支位置と逆側の一端における接続位置で吊り戸板と折り曲げ可能に接続される移動戸板と、移動戸板の移動を案内する案内溝を有する横枠と、吊り戸板と移動戸板とは回動可能であって、回動されて折畳まれた吊り戸板と移動戸板とを収納する収納領域と、を備え、移動戸板は、案内溝と摺動可能に嵌合する案内子を有し、案内子が案内溝を移動することにより、移動戸板は移動可能であり、案内溝は、所定の始点と所定の終点を有すると共に、始点から終点にかけて斜めかつ屈折せずに形成される。
【発明の効果】
【００１８】
本発明によれば、戸板の開閉時の移動や折り畳みがスムーズに行える。また、使用期間が長期に渡っても、劣化や故障が少ない。力の弱い女性や子供、老人であっても容易に戸板の開閉を行える。
【００１９】
また、吊り戸板と移動戸板の幅が同一にできるので、製造コストを抑えることもできる。
【００２０】
加えて、移動戸板を収納領域まで移動させて折畳むことができるので、支持部材と横枠で囲まれる開口部に戸板が残ることがなく、開放感が高まる。もちろん、折れ戸の内部が収納空間になっている場合には、収納空間との行き来や荷物の出し入れが、より容易となる。
【００２１】
以上の結果、耐久性に優れて使いやすく、室内の開放感を高める折れ戸、折れ戸つき窓が提供できる上に、快適な居住空間が提供できる。
【発明を実施するための最良の形態】
【００２２】
なお、本明細書において、吊り戸板および移動戸板をまとめて戸板と呼ぶこともある。
【００２３】
本発明の第１の発明に係る折れ戸は、所定の軸支位置において支持部材に一端が軸支される吊り戸板と、軸支位置と逆側の一端における接続位置で吊り戸板と折り曲げ可能に接続される移動戸板と、移動戸板の移動を案内する案内溝を有する横枠と、吊り戸板と移動戸板とは回動可能であって、回動されて折畳まれた吊り戸板と移動戸板とを収納する収納領域と、を備え、移動戸板は、案内溝と摺動可能に嵌合する案内子を有し、案内子が案内溝を移動することにより、移動戸板は移動可能であり、案内溝は、所定の始点と所定の終点を有すると共に、始点から終点にかけて斜めかつ屈折せずに形成される。
【００２４】
この構成により、戸板は、引っかかったり詰まったりすることなくスムーズに移動する。使用期間が長くなっても、戸板の移動が困難となることが少ない。
【００２５】
本発明の第２の発明に係る折れ戸では、第１の発明に加えて、案内溝は、所定の始点と終点を有し、吊り戸板および移動戸板の伸長時における案内子の位置を始点とし、軸支位置側を終点とし、始点は、軸支位置が横枠と略平行に形成する仮想直線に対して、移動戸板の前面から案内子までの厚み分、第1方向側に位置し、終点は、仮想直線に対して、吊り戸板の厚みに移動戸板の背面から案内子までの厚みを加えた厚み分、第1方向側と逆の第２方向側に位置する。
【００２６】
この構成により、吊り戸板と移動戸板のいずれもが移動して折畳まれた場合に、吊り戸板および移動戸板のいずれもが開口部に残ることがない。また、吊り戸板と移動戸板とは、その端部が横枠に対して出っ張ることがなくなる状態まで折畳まれる。すなわち、支持部材に重複するように収納される。このため、開口部が完全に開放される。
【００２７】
本発明の第３の発明に係る折れ戸では、第１から第２のいずれかの発明に加えて、案内子が終点付近まで摺動した場合には、吊り戸板と移動戸板とは、軸支位置を基点に回動可能であり、吊り戸板と移動戸板とが、横枠に対して略平行となって収納領域に収納される位置まで、案内子は案内溝を摺動可能である。
【００２８】
この構成により、戸板は、横枠に対して略平行の位置まで折畳まれる。また、移動戸板の先端であって案内子がもうけられている位置が、吊り戸板の軸支位置を基点に折畳まれるので、戸板は、開口部から完全に外に外れる。特に、吊り戸板と移動戸板とは、支持部材に重なり合うように収納される。
【００２９】
本発明の第４の発明に係る折れ戸では、第１から第３のいずれかの発明に加えて、吊り戸板および移動戸板それぞれの、横枠に対応する横幅は、略同一である。
【００３０】
この構成により、戸板は、横枠に対して略平行に折畳まれる。当然ながら、開口部には、吊り戸板は言うまでもなく移動戸板もその一部を残さない。
【００３１】
本発明の第５の発明に係る折れ戸では、第１から第４のいずれかの発明に加えて、収納領域の横枠に対応する横幅は、吊り戸板および移動戸板のそれぞれの横幅よりも大きく、好ましくは略同一である
本発明の第６の発明に係る折れ戸では、第１から第５のいずれかの発明に加えて、収納領域は、支持部材の表面もしくは裏面に形成される。
【００３２】
これらの構成により、折畳まれた戸板は、支持部材に重なって収納されるので、すっきりとした外観を生じさせる。
【００３３】
本発明の第７の発明に係る折れ戸では、第１から第６のいずれかの発明に加えて、横枠および支持部材の少なくとも一部は、折れ戸が設置される壁材の一部である。
【００３４】
この構成により、室内における折れ戸とその周辺部材の外観がすっきりする。また強度も確保される。
【００３５】
本発明の第８の発明に係る折れ戸では、第１から第７のいずれかの発明に加えて、接続位置において、吊り戸板と移動戸板との間に中間戸板が接続可能である。
【００３６】
この構成により、折れ戸の横幅を長くすることができ、部屋の間仕切りなど、様々なシチュエーションでの利用が広がる。
【００３７】
本発明の第９の発明に係る折れ戸では、第１から第８のいずれかの発明に加えて、横枠および支持部材に囲まれて開口部が形成され、吊り戸板および移動戸板が伸長する場合には、開口部が閉鎖され、吊り戸板および移動戸板が収納領域に収納される場合には、開口部が略完全に開放される。
【００３８】
この構成により、すっきりとした外観と利便性とを両立させる。
【００３９】
本発明の第１０の発明に係る折れ戸では、第１から第９のいずれかの発明に加えて、支持部材が、一対であって、一対の支持部材のそれぞれにおいて、一対の吊り戸板の一つが軸支され、一対の吊り戸板のそれぞれには、移動戸板が接続される。
【００４０】
この構成により、２セットの戸板を、両端に折畳むことができる。
【００４１】
本発明の第１１の発明に係る折れ戸では、第１から第１０のいずれかの発明に加えて、支持部材が、軸支位置を基点に回動可能である。
【００４２】
この構成により、折れ戸の施工におけるバリエーションが広がる。特に、支持部材に隠される領域と吊り戸板と折れ戸によって隠される領域とを、目的に応じて使い分けることができる。
【００４３】
以下、図面を用いて実施の形態について説明する。
【００４４】
なお、本明細書において、戸とは、木材、樹脂、金属、紙材、合成木材、皮革材など、種々の素材で形成された窓や雨戸の室内側に設けられる部材である。
【００４５】
（実施の形態１)
（全体概要）
まず、折れ戸の全体概要について図1を用いて説明する。
【００４６】
図１は、本発明の実施の形態1における折れ戸の斜視図である。なお、図１は、斜め方向から見た斜視図となっているので、枠の内側に設けられた要素については、図１においては、視覚上認識できない状態である。しかし、他の図とその説明において明確になるものである。
【００４７】
折れ戸１は、床面に略垂直に立設する支持部材２（垂直である必要はなく、床面に対して交差する方向であればよい）を備え、この支持部材２に吊り戸板５の一端が、軸支位置１１において軸支される。吊り戸板５には、接続位置１２において移動戸板６が吊り戸板５に対して横方向に接続される。移動戸板６は、吊り戸板５に対して折り曲げ可能に接続される。
【００４８】
更に、折れ戸１は、支持部材２、吊り戸板５および移動戸板６の上部に位置する横枠４を備える。横枠４は、支持部材２と接続されていても良いし、支持部材２とは物理的に分離した上で壁や天井と接続されても良い。あるいは横枠４は、天井の一部として形成されても良い。横枠４は、移動戸板６の移動を案内する案内溝８を備える。
【００４９】
吊り戸板５と移動戸板６とは、回動可能であって、回動されて折畳まれた吊り戸板５と移動戸板６とは、支持部材２の表面に形成される収納領域３に収納される。移動戸板６は、案内溝８と摺動可能に嵌合する案内子７を有しており、案内子７が案内溝８を移動することによって移動戸板６は、移動できる。案内溝８は、始点９と終点１０とを有しており、案内溝８は、始点９から終点１０にかけて斜めかつ屈折せずに形成される。ここで、屈折せずとは、案内溝８が、始点９から終点１０において、折れ曲がった部分を有していないことである。
【００５０】
吊り戸板５と移動戸板６とが覆う空間が、吊り戸板５と移動戸板６とが収納領域３に収納される際に開放される開口部２１となる。この開口部２１の向こうには、窓枠が設けられたり、収納棚が設けられたりする。吊り戸板５と移動戸板６とが収納領域３に収納されることで、窓枠や収納棚が開放される。折れ戸１が閉じられると支持部材２と戸板（吊り戸板５と移動戸板６）によって、室内に対して折れ戸１の内部が閉鎖される。逆に折れ戸１が開かれると、開口部２１が開放され、開口部２１を介して、折れ戸１の内部との通行も可能になる。折れ戸１の内部側の壁に、窓枠が設けられている場合には、開口部２１に対応する領域は、窓枠まで視界が開放される。あるいは、折れ戸１の内部側に収納棚が設けられている場合には、折れ戸１が開放されることで、収納棚の利用が可能となる。
【００５１】
すなわち、折れ戸１は、窓枠や収納棚などとつながる開口部２１を開放したり、開口部２１を閉鎖したりする機能を有する。このとき、折れ戸１は、吊り戸板５と移動戸板６の移動動作によって、窓に対向する開口部２１の閉鎖と開放を実現する。
【００５２】
開口部２１は、吊り戸板５と移動戸板６により閉鎖される。すなわち、吊り戸板５と移動戸板６が伸張している状態では、開口部２１は、閉鎖されている。移動戸板６の案内溝８に従う移動によって、開口部２１は、徐々に開放される。開口部２１が閉鎖されていることで、開口部に対応する位置の窓枠や収納棚が不可視となる。開口部２１が開放されることで、室内から窓枠や収納棚が可視となって開放される。
【００５３】
次に、図１〜図４を用いて、折れ戸１の開閉動作の概要について説明する。
【００５４】
（動作概要）
移動戸板６は、案内子７が案内溝８を摺動することで位置を移動する。ここで移動戸板６は、吊り戸板５と接続位置１２において折り曲げ可能に接続されているので、移動戸板６が案内溝８にしたがって移動すると、接続位置１２が室内側に出っ張る。この出っ張りに合わせて吊り戸板５も軸支位置１１側に近づく。移動戸板６の位置が、軸支位置１１に近づくにつれて吊り戸板５も軸支位置１１に近づき、開口部２１の開放が進む。更に、移動戸板６の移動が進むと、吊り戸板５と移動戸板６とが合わさって回動して、吊り戸板５と移動戸板６とが折畳まれる。最終的には、開口部２１が開放されると共に戸板が室内側に出っ張ることもなく、収納領域３に折畳まれる。吊り戸板５と移動戸板６とは、回動して収納領域３に折畳まれるので、室内側において戸板が出っ張ったりすることがない。加えて、支持部材２を残した領域である開口部２１は、全て開放される。このため、吊り戸板５と移動戸板６とは、支持部材２と重なって収納領域３に折畳まれるので、室内への不快な戸板の出っ張りもない上に開口部２１に戸板の一部が残ることもない。折畳まれた吊り戸板５と移動戸板６とが支持部材２に重なることで室内における外観もすっきりとする。
【００５５】
図２は、本発明の実施の形態１における折れ戸の斜視図である。図２は、図１に示される閉鎖されていた戸板が少しだけ開かれた状態を示している。移動戸板６は、たとえばドアノブを有しており、使用者はこのドアノブを引くことで、移動戸板６を移動させることができる。ドアノブが引かれると、移動戸板６に設けられている案内子７が案内溝８を摺動して、移動戸板６の位置が変化する。このとき、移動戸板６は、室内側に出っ張りながら移動する。移動戸板６と接続位置１２で折り曲げ可能に接続されている吊り戸板５は、移動戸板６に押し出されるように、略くの字を描いて室内側に出っ張り始める。
【００５６】
このとき案内子７は、斜めかつ屈折のない案内溝８を摺動するので、案内溝８において、案内子７が引っかかったり、動きにくくなったりすることはない。案内子７は、案内溝８をスムーズに移動する。すなわち、移動戸板６もスムーズに移動する。
【００５７】
移動戸板６の移動が更に進むと、図３に示されるように、移動戸板６と吊り戸板５とが完全に合わさって、軸支位置１１を有する支持部材２まで移動する。図３は、本発明の実施の形態１における折れ戸の斜視図である。図３は、移動戸板６と吊り戸板５とが完全に合わさって軸支位置１１に近づいた状態を示している。
【００５８】
図３に示される状態まで移動戸板６と吊り戸板５とが移動すると、開口部２１が開放される。ただし、図３の状態では、支持部材２まで移動した移動戸板６と吊り戸板５とが室内側に出っ張ったままであるので、室内における開放感はまだ不十分である。
【００５９】
支持部材２まで移動して相互に合わさった移動戸板６と吊り戸板５とは、軸支位置１１（すなわち、案内溝８の終点１０）を基点に回動可能である。案内溝８は、移動戸板６と吊り戸板５とが横枠４に対して略平行となる位置まで回動できるように、終点１０を有している。このため、図４に示されるように、移動戸板６と吊り戸板５とは、横枠４に対して略平行となる位置まで折畳まれる。
【００６０】
図４は、本発明の実施の形態１における折れ戸の斜視図である。図４は、移動戸板６と吊り戸板５とが回動して横枠４に略平行となる位置まで折畳まれた状態を示している。
【００６１】
案内溝８は、横枠４において支持部材２の位置を越える位置まで延伸しているので、図３に示されるように相互に合わさった移動戸板６と吊り戸板５とは、更に移動できる。すなわち、案内子７は、移動戸板６と吊り戸板５とが、図３に示されるように相互に合わさる位置まで到達するだけでなく、更に斜めに延びる案内溝８を移動できる。この案内子７の移動により、移動戸板６は、吊り戸板５を押すように回動する。吊り戸板５は軸支位置１１で軸支されているので、移動戸板６から押される力によって、吊り戸板５は軸支位置１１を基点に回動するからである。移動戸板６は、吊り戸板５に合わさっているので、吊り戸板５の回動に合わせて、軸支位置１１を基点にやはり回動する。
【００６２】
このように、支持部材２を超える位置まで斜めに延伸した案内溝８を、案内子７が移動することにより、移動戸板６と吊り戸板５とは、軸支位置１１を基点に回動する。回動の結果、図４に示されるように、移動戸板６と吊り戸板５とは、横枠４に対して略平行になるように、折畳まれる。このとき、吊り戸板５と移動戸板６とは、支持部材２の表面に設けられる収納領域３に折畳まれる。支持部材２の横幅は、吊り戸板５と移動戸板６とのそれぞれの横幅以上の大きさを有しているので、吊り戸板５と移動戸板６とは支持部材２の表面にそのまま重複する。このため、折畳まれた吊り戸板５と移動戸板６とは、室内側から見ると支持部材２にそっくり重なった状態となって、外観上も非常にすっきりとする。更に戸板が室内に出っ張ることもなくなり、開口部２１の開放感と合わせて室内の開放感が高まる。
【００６３】
ここで、実施の形態１における案内溝８は、始点９から終点１０にかけて斜めかつ屈折せずに形成されている。このため、案内溝８と嵌合して摺動する案内子７は、屈折部分を経由する必要がないので、スムーズに動作する。結果として、従来の折れ戸と異なり、移動戸板６の移動がスムーズであって、使用期間の経過と共に、移動動作が困難になることもない。また、力の弱い子供、女性、老人であっても、苦もなく移動戸板６を動かせる。
【００６４】
特に、従来技術の折れ戸では、移動した移動戸板と吊り戸板との回動において、使用者は、案内溝の屈折部を経由させる必要があり、力を要していた。この屈折部を経由させるために、案内溝や案内子の損傷が生じて、使用期間の経過と共に、移動動作の困難性が増していた。
【００６５】
これに対して、実施の形態１の折れ戸１では、案内溝８は屈折部を有していないので、案内子７が案内溝８の中で引っかかったり、止まったりすることがほとんどない。このため、案内子７の案内溝８における移動動作は非常にスムーズであり、使用期間の経過によって案内子７の案内溝８における動作が悪くなることも少ない。
【００６６】
このように、実施の形態１の折れ戸１では、戸板の開閉がスムーズであり、時間経過と共に発生しがちな動作不良も軽減できるメリットがある。
【００６７】
次に、各部の詳細について説明する。
【００６８】
（支持部材）
折れ戸１は、支持部材２と接続している。支持部材２は、吊り戸板５の一端を軸支位置１１において軸支する。軸支は、蝶番などで実現される。軸支位置１１は、支持部材２と吊り戸板５とが接する位置に対応する。特に、軸支位置１１は、支持部材２と吊り戸板５とが接する位置であって、支持部材２の表面側（室内側）であることが適当である。軸支位置１１が室内側に設けられることで、吊り戸板５と移動戸板６が、軸支位置１１を基点に折畳まれるからである。もちろん、軸支位置１１が、支持部材２の中途の位置に設けられても良い。例えば、隠し蝶番のような部品によって、吊り戸板５が支持部材２の前面において折畳まれるのであれば、軸支位置１１は、支持部材２の前面ではなく、内側に入った箇所に位置しても良い。
【００６９】
支持部材２は、ある室内空間を仕切る位置において、戸板１の横において折畳まれる戸板（吊り戸板５と移動戸板６）の収納領域３を形成する。支持部材２は、吊り戸板５や移動戸板６などと同じく独立した板材で形成されてもよく、壁から突出した板材で形成されても良い。もちろん、支持部材２は、壁の一部として形成されても良い。なお、支持部材２は、折れ戸１の構成要素であってもよいし、外部要素であってもよく、折れ戸１は、支持部材２を含んだ状態で流通しても良いし、支持部材２を含まない状態で流通しても良い。
【００７０】
支持部材２は、木材、金属、樹脂、合成木材、紙材、皮革材など種々の素材で形成されればよく、表面に模様や色彩などの処理が施されていてもよい。支持部材２は、床面に対して交差するように構成され、一般的には床面に略垂直に構成される。また、横枠４と共に開口部２１を形成する。このため、折れ戸１の内側に窓枠が設けられる場合には、支持部材２は、窓枠の端部に沿う位置に合わされてもよい。
【００７１】
なお、支持部材２は、吊り戸板５および移動戸板６と、同じ素材、色、表面処理であることが好ましい。折れ戸１が閉じられている場合に、支持部材２、吊り戸板５、移動戸板６の全てが一体化されて室内側から見ることができるからである。当然に、支持部材２、吊り戸板５、移動戸板６の全体が一体化することで、すっきりとした外観が得られる。
【００７２】
また、支持部材２は、その表面もしくは裏面に、折畳まれた吊り戸板５と移動戸板６とを収納する収納領域３を形成するので、支持部材２の横幅は、吊り戸板５および移動戸板６の横幅以上であるのが好ましく、更に好ましくは略同一であることが好ましい。支持部材２の横幅が、吊り戸板５および移動戸板６の横幅と略同一であることで、収納領域３に収納される吊り戸板５と移動戸板６とが、支持部材２の表面（この領域が収納領域３となる）において支持部材２と完全に重なってすっきりとした外観を生じさせるからである。
【００７３】
（収納領域）
収納領域３は、支持部材２の表面もしくは裏面に形成され、折畳まれた吊り戸板５と移動戸板６とを収納する空間である。吊り戸板５と移動戸板６とが支持部材２の表側で折畳まれる場合には、収納領域３は支持部材２の表面に形成され、吊り戸板５と移動戸板６とが支持部材２の裏側で折畳まれる場合には、収納領域３は、支持部材２の裏面に形成される。
【００７４】
なお、収納領域３は、支持部材２の表面もしくは裏面において、折畳まれた吊り戸板５と移動戸板６とが収納される空間であって、外観において領域が区分できるスペースではない。また、収納領域３は、支持部材２の面積に対応する面積を有する。
【００７５】
吊り戸板５と移動戸板６とは、軸支位置１１を基点に回動して折畳まれると、そのまま支持部材２に合わさるように重複する。この重複によって、折畳まれた吊り戸板５と移動戸板６とは、折れ戸１を正面から見た場合に、支持部材２と完全に一体化して、すっきりとした外観を生じさせる。
【００７６】
なお、吊り戸板５と移動戸板６とが軸支位置１１を基点に、支持部材２の裏面に折畳まれる場合には、収納領域３は、支持部材２の裏面に形成される。
【００７７】
このように、支持部材２の表面もしくは裏面に収納領域３が形成され、折畳まれた吊り戸板５と移動戸板６とは、収納領域３にきれいに収まるように収納される。
【００７８】
（横枠）
横枠４は、移動戸板６の移動を案内する。横枠４は、支持部材２と接続されても良いし、天井や壁の一部として形成され、支持部材２と離隔していてもよい。横枠４は、支持部材２とあわせて、開口部２１を形成する。この開口部２１は、吊り戸板５と移動戸板６とによって遮蔽される。なお、吊り戸板５と移動戸板６以外に、中間板などが設けられたり、吊り戸板と移動戸板が複数の場合であったりするには、これらによって、開口部２１が遮蔽される。
【００７９】
折れ戸１の内部空間には、収納スペースや窓枠が設けられれば良いが、窓枠は、開口部２１を介して完全に開放されることが好ましいので、窓枠は、開口部２１に対応する領域に設けられることが好ましい。また、開口部２１の形状（すなわち吊り戸板５と移動戸板６の形状で定まる形状）も、窓枠や内部空間の使い方によって定められればよい。
【００８０】
また、横枠４は、移動戸板６を移動する基準となる案内溝８を有している。横枠４が、支持部材２の上部（すなわち、室内において天井側）に設けられる場合には、横枠４の下を吊り戸板５と移動戸板６とが移動するので、案内溝８は、横枠４の下面に形成される。逆に、横枠４が支持部材２の下部（すなわち、室内における床側）に設けられる場合には、横枠４の上を、吊り戸板５と移動戸板６とが移動するので、案内溝８は、横枠４の上面に形成される。
【００８１】
横枠４は、支持部材２と同様に、木材、金属、樹脂、合成木材、紙材、皮革材など種々の素材で形成されればよく、表面に模様や色彩などの処理が施されていてもよい。また、横枠４は、支持部材２と同一素材や同一模様を有してもよく、異なる素材や模様を有してもよい。
【００８２】
（吊り戸板と移動戸板）
吊り戸板５は、開口部２１の開放と閉鎖を行う戸板の内、支持部材２に軸支位置１１において軸支されている戸板である。このため、軸支位置１１においては、吊り戸板５は移動せず、移動戸板６の移動に伴って、吊り戸板５の軸支位置１１と逆側の位置が移動する。吊り戸板５が軸支位置１１において軸支されているので、吊り戸板５と移動戸板６は、この軸支位置１１を基準に移動や回動を行う。なお、吊り戸板５と移動戸板６は、接続位置１２において、蝶番により接続される。もちろん、吊り戸板５と移動戸板６とは、蝶番以外の折れ曲がり可能に２つの部材を接続する部品により接続されれば良い。
【００８３】
吊り戸板５と移動戸板６とは、いずれも木材、金属、樹脂、合成木材、紙材、皮革材など種々の素材で形成されればよく、表面に模様や色彩などの処理が施されていてもよい。また、支持部材２、横枠４と同一素材や同一模様を有してもよく、異なる素材や模様を有してもよい。
【００８４】
但し、外観上の好ましさから、支持部材２、横枠４、吊り戸板５および移動戸板６は、同一素材、同一色彩を有していることが好ましい。
【００８５】
また、吊り戸板５と移動戸板６とは、１枚ずつでもよく、少なくとも一方が複数枚であってもよい。また、吊り戸板５と移動戸板６との間に中間戸板が設けられてもよい。吊り戸板５と移動戸板６の少なくとも一方が複数枚であったり、中間戸板が設けられたりする場合には、戸板全体は屏風のような形態で開閉を行う。
【００８６】
なお、吊り戸板５と移動戸板６は、開口部２１を完全に閉鎖できることが適当であるが、設計の都合や室内のインテリアとの関連によって、開口部２１の形状や面積との相違があってもよい。
【００８７】
（案内溝および戸板の移動）
次に案内溝８における動作の詳細を、図５、図６を用いて説明する。
【００８８】
図５は、本発明の実施の形態１における案内溝での移動動作を示す説明図である。図５は、案内溝８と戸板を上から透視した図面を示している。図５に示される折れ戸は、吊り戸板５と移動戸板６とが支持部材２の表面に折畳まれる場合を示している。図５は、（ａ）〜（ｅ）の順序で、案内溝８に従って戸板が移動する状態を時系列に示している。
【００８９】
案内溝８は、横枠４において斜めかつ屈折せずに形成される。ここで、斜めとは、横枠４を仮想直線とした場合に、この仮想直線と交差する方向を持つことであり、吊り戸板５と移動戸板６とが伸張している場合に形成される仮想直線と交差する方向を持つことでもある。いずれにしても、案内溝８は、吊り戸板５と移動戸板６が伸張している場合に形成される仮想直線に対して交差するように斜めになっている。また、案内溝８は、屈折部を有していないので、案内溝８と嵌合する案内子７は、直線的な移動が可能となって、移動途中で引っかかったりすることもない。案内溝８を摺動する案内子７の移動によって、移動戸板６が移動し、この移動戸板６の移動に伴って吊り戸板５が移動する。
【００９０】
また、案内溝８は、始点９と終点１０を有し、この始点９から終点１０にかけて、案内溝８は、斜めかつ屈折せずに形成されている。
【００９１】
なお、吊り戸板５や移動戸板６の数が増えて、横枠４が複数の案内溝８を一連に設ける場合には、複数の案内溝８同士が接続することで、屈折部が生じ得るが、これは、始点９から終点１０にかけた区間における屈折部ではない。たとえば、２つの案内溝８がそれぞれの始点９同士で接続されて、この接続部分が屈折部を生じさせる。このときは、あくまでも始点９同士が接続する部分において屈折部が生じているのであり、本発明の要素である「始点９から終点１０にかけて斜めであってかつ屈折部がない」とは相違する。
【００９２】
次に、案内溝８に従った、戸板の移動と折畳みについて説明する。
【００９３】
まず、図５（a）は、吊り戸板５と移動戸板６が伸長しており、開口部２１を閉鎖している状態を示している。吊り戸板５は、軸支位置１１において支持部材２に軸支されている。ここで、軸支位置１１は、支持部材２の表面（すなわち室内側）に設けられる。なお、軸支位置１１が、支持部材２の表面や裏面に位置することは必須ではなく、支持部材２の内側に入った箇所に位置しても良い。吊り戸板５が、支持部材２の少なくとも一方の前面で折畳まれれば、軸支位置１１は、どのような位置でもよい。
【００９４】
移動戸板６は、吊り戸板５と接続位置１２で接続されており、接続位置１２を基点に、移動戸板６は吊り戸板５に対して折り曲げ可能である。移動戸板６は、その先端に案内溝８と嵌合する案内子７を有している。
【００９５】
案内溝８は、始点９と終点１０を有しており、始点９は吊り戸板５と移動戸板６とが伸長している（すなわち開口部２１を閉鎖している）状態での、案内子７が存在する位置であり、終点１０は、支持部材２を超える位置に存在する。支持部材２を越える位置まで案内溝８が設けられていることで、案内子７は、支持部材２を超えて移動できる。言い換えると、始点９は、案内溝８において、吊り戸板５と移動戸板６とが伸長時（開口部２１の閉鎖時）に、移動戸板６が有する案内子７が接する箇所であり、終点１０は、吊り戸板５と移動戸板６とが折畳まれるときに、案内子７が接する箇所である。
【００９６】
図５（ａ）に示される状態から、移動戸板６が少し移動されると、図５（ｂ）に示される状態となる。
【００９７】
図５（ｂ）は、案内子７が、少し移動した状態を示している。
【００９８】
案内子７は、案内溝８を摺動して移動する。図５（ｂ）に示されるように、案内子７が案内溝８を移動すると、移動戸板６も移動する。移動戸板６が移動すると、接続部１２を基点に折れ曲がりながら、移動戸板６が吊り戸板５を押し出す。この結果、吊り戸板５と移動戸板６とは、室内側に略「く」の字状に出っ張りながら折れ曲がる。開口部２１は、少しずつ開放される。案内子７の移動が進むと、図５（ｃ）の状態に変わる。
【００９９】
図５（ｃ）は、案内子７が移動して、開口部２１の大半が開放された状態を示している。
【０１００】
案内子７の移動が進むと、移動戸板６の移動も進み、吊り戸板５と移動戸板６は、更に室内側に出っ張る。加えて、開口部２１の開放も進む。案内子７は、斜めの案内溝８をそのまま進む。更に案内子７の移動が進むと、図５（ｄ）の状態に変わる。
【０１０１】
図５（ｄ）は、移動戸板６が吊り戸板５に接するように合わさった状態を示している。
【０１０２】
移動戸板６の移動が進むことで、移動戸板６は、吊り戸板５に近づき、更には接する。このとき、案内溝８は、案内子７の移動余地をまだ残している。案内溝８が案内子７の移動余地を残しているので、案内子７は、案内溝８を更に移動できる。このとき、案内溝８は、屈折部や屈曲部を有することなく（角部により折れ曲がる部分を有していない）斜めに延伸しているので、案内子７は、屈折部や屈曲部に引っかかったり止まったりすることなく移動できる。言い換えると、使用者は図５（ｄ）の状態から図５（e）の状態まで、スムーズに戸板を移動させることができる。
【０１０３】
図５（e）は、吊り戸板５と移動戸板６とが、軸支位置１１を基点に回動して折畳まれた状態を示している。吊り戸板５と移動戸板６とは、お互いに合わさったまま、横枠４に対して略平行になるまで折畳まれる。すなわち、横枠４に対して略平行になるまで折畳まれることで、吊り戸板５と移動戸板６とは収納領域３に収納される。
【０１０４】
次に、図６を用いて案内溝８の始点９と終点１０の位置関係について説明する。図６は、本発明の実施の形態１における案内溝の説明図である。図６は、軸支位置１１が横枠４に対して略平行に形成する直線を仮想直線３０として示している。
【０１０５】
案内溝８の始点９は、仮想直線３０に対して、移動戸板６の前面から案内子７までの厚み分第1方向側に位置する。この厚みは図６に示される厚みαである。
【０１０６】
一方、案内溝８の終点１０は、仮想直線３０に対して、吊り戸板５の厚みに移動戸板６の背面から案内子７までの厚みを加えた厚み分、第２方向側に位置する。この厚みは図６に示される厚みβである。
【０１０７】
吊り戸板５と移動戸板６とが支持部材２の表面に折畳まれる場合には、第1方向側は折れ戸の裏側（すなわち内部空間側）であり、第２方向側は、折れ戸の表側（すなわち室内側）である。一方、吊り戸板５と移動戸板６とが支持部材２の裏面に折畳まれる場合には、第１方向側は、折れ戸の表側（室内空間側）であり、第２方向側は折れ戸の裏側（すなわち内部空間側）である。
【０１０８】
案内子７は、案内溝８の終点１０まで移動可能である。案内溝８の終点１０は、仮想直線３０に対して、厚みβだけ第２方向側に移動した位置に存在する。すなわち厚みβ分だけ、仮想直線３０の第２方向側に位置する。ここで、厚みβは、吊り戸板５の厚みに移動戸板６の背面から案内子７までの厚みを加えた長さで定まる。吊り戸板５と移動戸板６とが折畳まれた状態の場合には、案内子７は、仮想直線３０に対して、厚みβだけ第２方向側に位置するはずである。案内溝８は、この案内子７の移動に必要な位置に始点９と終点１０を有しているので、吊り戸板５と移動戸板６とは、図６に示されるように、横枠４に対して略平行になる位置まで折畳まれる。
【０１０９】
このように、案内溝８がななめかつ屈折せずに形成されることに加えて、始点９が厚みαだけ第1方向側に位置し、終点１０が厚みβだけ第２方向側に位置することで、吊り戸板５と移動戸板６とは、収納領域３に完全に折畳まれる。また、吊り戸板５や移動戸板６が、室内側に出っ張ることも、開口部２１に残ることもなく、開口部２１が完全に開放される。
【０１１０】
加えて、実施の形態１における折れ戸であれば、案内溝８の終点１０が、支持部材２を超える位置に存在するので、移動戸板６は、支持部材２の端面と同じ位置もしくはこれを越える位置で折畳まれる。このため、従来技術の折れ戸のように、移動戸板が折畳まれたあとでも、移動戸板の一部が開口部に残ることがない。図５、図６より明らかな通り、吊り戸板５と移動戸板６とは、ほぼ同一の幅を有しており、吊り戸板５と移動戸板６との端部が、いずれも軸支位置１１まで到達できる。
【０１１１】
軸支位置１１は、支持部材２と開口部２１との境界に位置するので、吊り戸板５と移動戸板６との端部が軸支位置１１まで到達できる。この結果、吊り戸板５と移動戸板６とは、開口部２１から完全に外部に外れる。この結果、開口部２１は、戸板に遮蔽されることなく完全に開放される。このため、実施の形態１における折れ戸１は、室内の開放感や内部空間側に備えられている窓の開放感を最大にまで高めることができる。
【０１１２】
図５、図６では、案内溝が単一である場合について説明したが、案内溝が複数であったり、複数の案内溝が接続されたりしてもよい。ここで、複数の案内溝が接続する場合には、接続位置において屈折部が生じるが、これはあくまでも複数の溝が接続することによって屈折部が生じるだけであり、単一の案内溝だけで把握した場合には、始点から終点までは、屈折していない。
【０１１３】
なお、図５，６は、1枚の支持部材２に吊り戸板５と移動戸板６とが接続された形態を示したが、支持部材２と対になる位置にもう1枚の支持部材が設けられ、２枚の支持部材に吊り戸板５と移動戸板６とが挟まれる構造であってもよいし、２枚の支持部材の間に、複数の吊り戸板５と移動戸板６とが挟まれる構造であっても良い。
【０１１４】
また、吊り戸板５と移動戸板６との間に中間戸板が接続されても良い。この場合には、接続位置１２において、中間戸板が吊り戸板５に接続されて、中間戸板の他方は、移動戸板６に接続される。中間戸板が接続されることで、折れ戸１の横幅が広がる。広い部屋における間仕切りとして折れ戸１を使用する場合には、中間戸板を用いて折れ戸１の横幅を拡げることは効果的である。
【０１１５】
実施の形態１では、吊り戸板５と移動戸板６が設置された折れ戸１を説明したが、吊り戸板５と移動戸板６が設置されていない折れ戸用枠体のみであっても、上述の効果を有する。折れ戸用枠体のみであっても、横枠４に斜めかつ屈折のない案内溝８が設けられており、事後的に取り付けられる吊り戸板５と移動戸板６を、案内溝８、はスムーズに移動させて折畳むことができる。折れ戸用枠体の場合には、支持部材２と横枠４とが組み上げられた状態であっても良い。また、支持部材２や横枠４は壁や天井と同じ部材の延長によって形成されてもよい。支持部材２は、折れ戸1を構成する要素としては外部要素であってよい。
【０１１６】
当然ながら、折れ戸１の状態で流通、提供、販売されてもよく、折れ戸用枠体の状態で流通、提供、販売されてもよい。流通や販売の都合によって、提供の態様が決められればよい。折れ戸用枠体のみで提供されて、折れ戸用枠体が家屋に取り付けられる際に、吊り戸板５と移動戸板６が取り付けられればよい。また、折れ戸１のそれぞれの部材（支持部材２、横枠４、吊り戸板５、移動戸板６などのそれぞれ）が、個別に提供されて、家屋や建物の組み立て現場において、個別の部材がくみ上げられて折れ戸１として完成されてもよい。また、折れ戸１は、窓枠、雨戸、クローゼットや作り付けの押入れなど、扉を有する家具や建具の扉として利用されても良い。あるいは、部屋の間仕切りとして使用されても良い。
【０１１７】
なお、図には示していないが、支持部材２および横枠４で形成される枠体の強度を向上させるために、支持枠が更に設けられてもよい。支持枠は、たとえば開口部２１において、支持部材２同士を結ぶ。（横枠４と略平行でもよく、略平行でなくてもよい）ように設けられればよい。
【０１１８】
以上のように、実施の形態１における折れ戸によれば、戸板がスムーズに移動されて折畳まれ、開口部が完全に開放される。更に、折畳まれた戸板は、戸板の横に位置する支持部材ときれいに重複して収納されるので、折畳まれた戸板の外観は非常にすっきりとする。特に、吊り戸板と移動戸板の双方が完全に開口部から外れて折畳まれるので、室内の開放感が高まり、高級感のある雰囲気が生じる。加えて、使用期間の経過と共に、戸板の移動が悪くなることも少ない。
【０１１９】
（実施の形態２）
次に、実施の形態２について図７、図８を用いて説明する。実施の形態２では、吊り戸板と移動戸板が２組であって４枚の戸板によって構成される折れ戸を説明する。図７、図８は、本発明の実施の形態２における折れ戸の正面図である。
【０１２０】
図７は、戸板が全て閉じられた状態を示しており、図８は、戸板が折畳まれて開口部２１が開放されている状態を示している。図７、図８の折れ戸４０は、それぞれ２枚の吊り戸板５ａ、５ｂと２枚の移動戸板６ａ、６ｂとを備えている。また、折れ戸４０は、実施の形態１と同じく支持部材２を備えているが、支持部材２ａ、２ｂの２枚の支持部材が、両端にそれぞれ備えられている。移動戸板６aは、案内溝８aと嵌合する案内子７aを備えており、移動戸板６ｂは、案内溝８ｂと嵌合する案内子７ｂを備えている。
【０１２１】
支持部材２ａは、軸支位置１１ａにおいて吊り戸板５ａを接続する。吊り戸板５ａは、接続位置１２ａにおいて移動戸板６ａを接続する。すなわち、軸支位置１１ａを基点として、吊り戸板５ａと移動戸板６ａとがセットになって構成されている。
【０１２２】
支持部材２ａ、支持部材２ｂ、横枠４および床面によって囲まれる領域が、戸板によって開放および閉鎖される開口部２１である。
【０１２３】
同様に、支持部材２ｂは、軸支位置１１ｂにおいて吊り戸板５ｂを接続する。吊り戸板５ｂは、接続位置１２ｂにおいて移動戸板６ｂを接続する。すなわち、軸支位置１１ｂを基点として、吊り戸板５ｂと移動戸板６ｂとがセットになって構成されている。
【０１２４】
吊り戸板５aと移動戸板６ａとが一体になって開閉し、吊り戸板５ｂと移動戸板６ｂとが一体になって開閉する。吊り戸板５aと移動戸板６aとは、軸支位置１１aを基点に支持部材２ａから開口部２１の中央に向かって閉じ、軸支位置１１aを基点に支持部材２ａに向かって移動して折り畳まれる。これに対して、吊り戸板５ｂと移動戸板６ｂとは、軸支位置１１ｂを基点に支持部材２ｂから開口部２１の中央に向かって閉じ、軸支位置１１ｂを基点に支持部材２ｂに向かって移動して折り畳まれる。すなわち、吊り戸板５aと移動戸板６aとのセットと、吊り戸板５ｂと移動戸板６ｂとのセットによって、開口部２１が閉鎖および開放される。なお、図７、図８においては、２セットの吊り戸板と移動戸板により説明したが、折れ戸４０は、３以上の吊り戸板と移動戸板のセットを有してもよく、セットのそれぞれは、吊り戸板と移動戸板以外の中間板を有していてもよい。
【０１２５】
また、図７、図８は、折れ戸４０が部屋の途中での間仕切りとして使われている状態を示しているが、間仕切り以外の使用態様であってもいいのはもちろんである。例えば、部屋の一部を仕切った上で、内部空間側（つまり折れ戸４０の奥）を収納棚やクローゼットとして利用しても良い。あるいは、内部空間側の壁に窓枠が設けられて、窓枠を含む壁の目隠しとして、折れ戸４０が利用されても良い。
【０１２６】
このように、折れ戸４０は、様々な態様やシチュエーションに応じて利用できる。
【０１２７】
（図７、図８に対応する案内溝の構造）
また、図９より明らかな通り、図７、図８に示されるように吊り戸板と移動戸板のセットが２つである折れ戸の場合には、案内溝は、２つの案内溝が接続された形態を有する。図９は、本発明の実施の形態２における案内溝の説明図である。図９（ａ）は、伸張されたままの戸板を示しており、図９（ｂ）は、折畳まれた戸板を示している。
【０１２８】
折れ戸４０の横枠４は、２つの案内溝８aと８ｂを備える。ここで、図９（ａ）から明らかな通り、案内溝８aと案内溝８ｂとは、始点９a、９ｂ同士で接続されており、物理的には一本の溝になっている。しかし、あくまで案内溝８aと案内溝８ｂとが始点９a、始点９ｂで便宜上接続されているだけで、横枠４は、２つの案内溝８a、８ｂを有している。案内溝８aは、始点９aから終点１０aにかけて斜めであってかつ屈折部がなく、案内溝８ｂは、始点９ｂから終点１０ｂにかけて斜めであってかつ屈折部がない。製造の容易性などの点から複数の案内溝が接続されて見た目上一つの案内溝になったとしても、個々の案内溝は、「始点から終点にかけて斜めかつ屈折部を有しない」との本発明の要素を有している。
【０１２９】
案内溝８aは、始点９aと終点１０aを有しており、横枠４の略中央から支持部材２ａに向かって延伸している。上述の通り、始点９aから終点１０aにかけては、案内溝８aは、斜めかつ屈折していない（折れ曲がる部分である屈折部を有しない）。
【０１３０】
また始点９aの位置は、実施の形態１で説明したとおり、軸支位置１１aが横枠４と略平行に形成する仮想直線３０に対して、第１方向側へ厚みαだけ移動した位置に存在する。すなわち厚みα分だけ、仮想直線３０の第１方向側に位置する。ここで、厚みαは、移動戸板６aの前面（室内側の面）から案内子７aまでの長さで定まる。始点９ｂも、始点９aと同様の位置関係を有する。
【０１３１】
また、終点１０aは、仮想直線３０に対して、厚みβだけ第２方向側に移動した位置に存在する。第２方向は、第１方向と逆向きの方向である。ここで、厚みβは、吊り戸板５aの厚みに移動戸板６aの背面から案内子７aまでの厚みを加えた長さで定まる。吊り戸板５aと移動戸板６aとが折畳まれた状態の場合には、案内子７aは、仮想直線３０に対して、厚みβだけ第２方向側に位置するはずである。案内溝８aは、この案内子７aの移動に必要な位置に始点９aと終点１０aを有しているので、吊り戸板５aと移動戸板６aとは、横枠４に対して略平行になる位置まで折畳まれる。当然ながら、案内溝８ｂの終点１０ｂも、終点１０aと同様の位置関係を有する。
【０１３２】
以上のように、吊り戸板と移動戸板のセットが２セットである折れ戸４０は、図７、図８に示されるような構成を有し、吊り戸板と移動戸板のセットが２セットである折れ戸４０は、図９に示されるような案内溝を有する。折れ戸４０は、２セットの吊り戸板と移動戸板とを、２枚の支持部材のそれぞれに設けられた収納領域に収納する。
【０１３３】
（図７、図８、図９での戸板の動作）
図７〜図９で示される吊り戸板と移動戸板のセットが２セットである折れ戸４０の動作について説明する。
【０１３４】
折れ戸４０は、まず図９（ａ）に示されるように吊り戸板５ａ、５ｂ、移動戸板６ａ、６ｂの全てが伸張しており開口部を閉鎖している。
【０１３５】
吊り戸板５aは、軸支位置１１aにて支持部材２ａに軸支されている。移動戸板６ａは、接続位置１２ａにおいて吊り戸板５ａと折り曲げ可能に接続している。移動戸板６ａの先端には、案内子７ａが、案内溝８ａに嵌合するように設けられている。案内子７ａは、案内溝８ａを移動する。移動戸板６ａが引き出されると、案内子７ａが、案内溝８ａを移動しながら、移動戸板６ａと吊り戸板５ａは第２方向側（室内側）に折れ曲がりながら開口部２１を徐々に広げていく。
【０１３６】
案内子７ａが支持部材２ａに近接すると、移動戸板６ａと吊り戸板５ａとが合わさって支持部材２ａの位置まで移動する。案内子７ａが更に案内溝８ａを終点１０ａまで進むと、移動戸板６ａと吊り戸板５ａとが、収納領域３ａに折畳まれる。折畳まれると、移動戸板６ａと吊り戸板５ａとが横枠４に対して略平行となって出っ張ることもない。加えて、実施の形態１で説明したとおり、移動戸板６ａと吊り戸板５ａとは同じ幅を有しているので、開口部２１に戸板の一部が残ることもない。また、案内溝８ａは、始点９ａから終点１０ａにいたるまで斜めかつ屈折部を有していないので、案内子７ａは、案内溝８ａをスムーズに移動できる。使用者が戸板を移動させる場合にも、戸板が案内溝８ａの中で引っかかったり、詰まったりして、移動させにくいこともない。また、使用期間が長くなったとしても、移動動作が困難になるなどの問題もない。
【０１３７】
同様に、吊り戸板５ｂは、軸支位置１１ｂにて支持部材２ｂに軸支されている。移動戸板６ｂは、接続位置１２ｂにおいて吊り戸板５ｂと折り曲げ可能に接続している。移動戸板６ｂの先端には、案内子７ｂが、案内溝８ｂに嵌合するように設けられている。案内子７ｂは、案内溝８ｂを移動する。移動戸板６ｂが手前に引かれると、案内子７ｂが、案内溝８ｂを移動しながら、移動戸板６ｂと吊り戸板５ｂは室内側に折れ曲がりながら開口部２１を徐々に広げていく。
【０１３８】
案内子７ｂが支持部材２ｂに近接すると、移動戸板６ｂと吊り戸板５ｂとが合わさって支持部材２ｂの位置まで移動する。案内子７ｂが更に案内溝８ｂを終点１０ｂまで進むと、移動戸板６ｂと吊り戸板５ｂとが、収納領域３ｂに折畳まれる。折畳まれると、移動戸板６ｂと吊り戸板５ｂとが横枠４に対して略平行となって、戸板は、出っ張ることがなくなる。加えて、実施の形態１で説明したとおり、移動戸板６ｂと吊り戸板５ｂとは同じ幅を有しているので、開口部２１に戸板の一部が残ることもない。また、案内溝８ｂは、始点９ｂから終点１０ｂにいたるまで斜めかつ屈折部（屈折部は、折れ曲がりなどをさす）を有していないので、案内子７ｂは、案内溝８ｂをスムーズに移動できる。使用者が戸板を移動させる場合にも、戸板が案内溝８ｂの中で引っかかったり、詰まったりして、移動させにくいこともない。また、使用期間が長くなったとしても、移動動作が困難になるなどの問題もない。
【０１３９】
図９（ｂ）は、戸板が折畳まれた状態を示しており、案内溝８aに沿って移動した吊り戸板５ａと移動戸板６ａとが支持部材２ａの表面に折畳まれる（支持部材２ａの表面が収納領域３ａとなる）。同様に、案内溝８ｂに沿って移動した吊り戸板５ｂと移動戸板６ｂとが、支持部材２ｂの表面に折畳まれる。
【０１４０】
このように、図７、図８に示されるような吊り戸板と移動戸板のセットが２セットである折れ戸の場合には、始点から終点まで斜めかつ屈折せずに形成された案内溝であって、２本の案内溝が始点同士において接続して横枠に設けられる。この２本の案内溝のそれぞれが、吊り戸板と移動戸板のセットの一つを移動させる。結果として、吊り戸板と移動戸板のセットのそれぞれは、２枚の支持部材のそれぞれに設けられる収納領域に折畳まれて収納される。
【０１４１】
なお、図７、図８においては、戸板は、支持部材の表面（室内側）に折畳まれるので、第１方向は、支持部材の裏側（内部空間４１側）であって、第２方向は支持部材の表側（室内側）である。
【０１４２】
図９においては、戸板は、支持部材の表面（室内側）に折畳まれるので、第１方向は支持部材の裏側であって、第２方向は支持部材の表側となる。
【０１４３】
いずれにしても、移動戸板の有する案内子を基点に、始点と終点との位置が決定される。始点と終点とがこのような位置関係を有することで、吊り戸板と移動戸板とが開口部２１の内部に残ることなく開口部２１を完全に開放すると共に収納領域にきれいに収納される。
【０１４４】
このように、４枚の戸板を有する折れ戸４０であっても、開口部２１が完全に開放されると共に、力の弱い女性や子供でも容易かつ確実に開閉を行える。
【０１４５】
なお、折れ戸１や折れ戸４０の内部空間側に窓枠が設けられ、この窓枠と折れ戸とがセットになって供給されたり、施工されたりしてもよい。例えば、窓枠とセットで組み立てられた折れ戸つき窓で流通しても良い。あるいは、窓枠と折れ戸とが別に流通されて、家屋や建物の組み立ての際に、折れ戸が窓枠にくみ上げられてもよい。
【０１４６】
また、実施の形態１および２における折れ戸において、支持部材２が軸支位置１１を基点に回動可能であっても良い。図１０は、本発明の実施の形態２における折れ戸の模式図であり、図１０は、支持部材２ａ、２ｂのそれぞれが、軸支位置１１ａ、１１ｂを基点に回動する状態を示している。なお、支持部材２ａ、２ｂが軸支位置１１ａ、１１ｂを基点に回動する場合には、支持部材２ａ、２ｂもしくは吊り戸板５ａ，５ｂが天井や床に固定されている必要がある。この場合には、支持部材２ａ、２ｂもしくは吊り戸板５ａ，５ｂの上下がほぞやピンなどで、回動の基点位置の近傍において、天井や床に接続されていれば良い。
【０１４７】
支持部材２ａ、２ｂは、吊り戸板５ａ，５ｂおよび移動戸板６ａ、６ｂが折畳まれる際の収納領域３ａ、３ｂを形成する基準となる部材であるが、吊り戸板５ａ，５ｂおよび移動戸板６ａ、６ｂが完全に折畳まれる以外の場合では、支持部材２ａ、２ｂそのものも回動しても構わない。支持部材２ａ、２ｂは、軸支位置１１ａ、１１ｂを、吊り戸板５ａ，５ｂおよび移動戸板６ａ、６ｂの移動や回動の基点として固定できれば良いからである。
【０１４８】
支持部材２ａ、２ｂそのものが回動できることで、支持部材２ａ、２ｂの部分が開放され、室内側と内部空間側とが通り抜け可能となる。このため、例えば支持部材２ａ、２ｂの位置から、内部空間側に通り抜けたり、内部空間に設けられた収納棚などへの物品の搬入を行ったりできる。支持部材２ａ、２ｂとが、吊り戸板５ａ，５ｂおよび移動戸板６ａ、６ｂとは別個に回動して内部空間と室内とを結ぶことができることで、折れ戸の使用態様が更に広がる。例えば、吊り戸板５ａ，５ｂおよび移動戸板６ａ、６ｂの部分は、人の通り道として提供され、支持部材２ａ、２ｂの部分は、通り道から隠された収納棚として提供される。もちろん、逆でも良い。
【０１４９】
設置される場所によって、支持部材２ａ，２ｂによって隠される部分と吊り戸板５ａ，５ｂおよび移動戸板６ａ、６ｂによって隠される部分とを、使い分けることができる。このため、実施の形態１，２で説明される折れ戸を施工する業者は、施工する建物の状況に応じた、種々の施工が可能であるし、折れ戸にあわせる他の家具や室内装飾を使い分けるなど、施工のバリエーションが広がる。
【０１５０】
このように、支持部材２ａ、２ｂが、回動可能であることで、折れ戸の施工におけるバリエーションが広がる。
【０１５１】
実施の形態１〜２で説明した態様は、本発明の一例に過ぎず、本発明の趣旨を損なわない限り、種々の変形を含む。
【図面の簡単な説明】
【０１５２】
【図１】本発明の実施の形態1における折れ戸の斜視図
【図２】本発明の実施の形態１における折れ戸の斜視図
【図３】本発明の実施の形態１における折れ戸の斜視図
【図４】本発明の実施の形態１における折れ戸の斜視図
【図５】本発明の実施の形態１における案内溝での移動動作を示す説明図
【図６】本発明の実施の形態１における案内溝の説明図
【図７】本発明の実施の形態２における折れ戸の正面図
【図８】本発明の実施の形態２における折れ戸の正面図
【図９】本発明の実施の形態２における案内溝の説明図
【図１０】本発明の実施の形態２における折れ戸の模式図
【符号の説明】
【０１５３】
１    折れ戸
２    支持部材
３    収納領域
４    横枠
５    吊り戸板
６    移動戸板
７    案内子
８    案内溝
９    始点
１０    終点
１１    軸支位置
１２    接続位置
【図１】
2010126989.tif 000003
【図２】
2010126989.tif 000004
【図３】
2010126989.tif 000005
【図４】
2010126989.tif 000006
【図５】
2010126989.tif 000007
【図６】
2010126989.tif 000008
【図７】
2010126989.tif 000009
【図８】
2010126989.tif 000010
【図９】
2010126989.tif 000011
【図１０】
2010126989.tif 000012